(57)【要約】【課題】本体の大きさを大幅に大きくしたり、あるいは、本体の形状を大幅に変更することなく、コンパクトにヒートポンプ装置を搭載する。【解決手段】内槽４を回転自在に内装した外槽３と、ヒートポンプ装置を構成する熱交換器からなる吸熱器３０および放熱器３１と、加熱した空気を前記内槽４内へ供給する送風手段１０とを筐体１内に設け、前記吸熱器３０および放熱器３１を前記外槽３と筐体１の背面３２との間に配設したものである。【選択図】　図１
2004065428.tif 000002
【特許請求の範囲】
【請求項１】
回転翼を内底部に回転自在に配設した内槽と、前記内槽を回転自在に内装した外槽と、圧縮機および圧縮された冷媒の熱を放熱する放熱器および高圧の冷媒の圧力を減圧するための絞り手段および減圧されて低圧となった冷媒が周囲から熱を奪う吸熱器とを冷媒が循環するように管路で連結したヒートポンプ装置と、前記放熱器で加熱した空気を前記内槽内へ供給する送風手段とを筐体内に具備し、前記放熱器および吸熱器は、前記外槽と筐体の一側面との間に配設した洗濯乾燥機。
【請求項２】
回転翼を内底部に回転自在に配設した内槽と、前記内槽を回転自在に内装した外槽と、圧縮機および圧縮された冷媒の熱を放熱する放熱器および高圧の冷媒の圧力を減圧するための絞り手段および減圧されて低圧となった冷媒が周囲から熱を奪う吸熱器とを冷媒が循環するように管路で連結したヒートポンプ装置と、前記放熱器で加熱した空気を前記内槽内へ供給する送風手段と、前記送風手段によって前記内槽内へ供給された空気を内槽外へ排出する排気口と、前記吸熱器に空気を流す吸熱器風路と、前記排気口と吸熱器風路の入口を連通する排気風路と、前記放熱器に空気を流す放熱器風路とを具備し、前記放熱器および吸熱器を前記外槽と筐体の一側面との間に配設するとともに、前記放熱器風路の入口と前記吸熱器風路の出口とを連通させた洗濯乾燥機。
【請求項３】
放熱器および吸熱器は、筐体の一側面と平行方向に並べて配置した請求項１または２記載の洗濯乾燥機。
【請求項４】
放熱器および吸熱器は、筐体の一側面に対向させて配置した請求項１または２記載の洗濯乾燥機。
【請求項５】
放熱器および吸熱器は、外槽と筐体の背面との間に配置した請求項１〜４のいずれか１項に記載の洗濯乾燥機。
【請求項６】
送風手段によって内槽内へ供給された空気を内槽外へ排出する排気口と、吸熱器に空気を流す吸熱器風路と、前記排気口と吸熱器風路の入口を連通する排気風路とを有し、前記排気風路は、洗濯時に注水される水の水位より上方で前記吸熱器風路と接続した請求項１〜５のいずれか１項に記載の洗濯乾燥機。
【請求項７】
排気風路は、外槽と一体に構成した請求項６記載の洗濯乾燥機。
【請求項８】
吸熱器風路の下方に、除湿水を排出する排水口を設けた請求項２〜７のいずれか１項に記載の洗濯乾燥機。
【請求項９】
吸熱器風路の上方に、空気中の異物を除去するフィルター手段を設けた請求項２〜８のいずれか１項に記載の洗濯乾燥機。
【請求項１０】
吸熱器風路は、吸熱器の上方から下方へ空気を流すように設定し、放熱器風路は、放熱器の下方から上方へ空気を流すように設定した請求項１〜９のいずれか１項に記載の洗濯乾燥機。
【請求項１１】
吸熱器は、吸熱器風路を流れる空気の上流側を、外槽側に近付く方向に傾けて前記吸熱器風路内に設けた請求項２〜１０のいずれか１項に記載の洗濯乾燥機。
【請求項１２】
放熱器は、放熱器風路を流れる空気の上流側を、外槽側に近付く方向に傾けて前記放熱器風路内に設けた請求項２〜１１のいずれか１項に記載の洗濯乾燥機。
【請求項１３】
吸熱器風路または放熱器風路の筐体外面側に、開閉自在の開口を設けた請求項１１または１２記載の洗濯乾燥機。
【発明の詳細な説明】
【０００１】
【発明の属する技術分野】
本発明は、内槽内に温風を送風し乾燥する乾燥工程を有する洗濯乾燥機に関するものである。
【０００２】
【従来の技術】
従来の洗濯乾燥機は図６に示すような構成であった。以下、その構成について説明する。図６に示すように、筐体１は、内部に複数のサスペンション２によって弾性的に吊り下げた外槽３を設け、脱水時の振動をサスペンション２によって吸収する構成としている。外槽３の内部には、洗濯物および乾燥対象物（以下、衣類という）を収容する内槽４を洗濯・脱水軸５を中心に回転可能に配設し、内槽４の内底部に衣類を撹拌する回転翼６を回転自在に配設している。また、内槽４の周壁には小孔４ａを多数設けている。上方には流体バランサ７を設けている。
【０００３】
モータ（駆動手段）８は、外槽３の底部に取り付けられ、その回転力はクラッチ９を切り換えることによって洗濯・脱水軸５に伝達される。洗濯軸５ａは回転翼６に、脱水軸５ｂは内槽４に連結されている。回転翼６は外周部に外周方向に高くなる略鍋型の形状をし、衣類撹拌用の突出リブ６ａを有している。乾燥工程においては、回転翼６の回転による遠心力と突出リブ６ａの撹拌力によって衣類を上方へと舞い上げる。
【０００４】
乾燥用送風機１０は、ヒータ１１によって加熱された温風を伸縮自在の上部蛇腹状ホース１２を通して乾燥用空気の吐出口１３から内槽４内に送風するもので、筐体１の略上方に設けており、乾燥用送風機１０とヒータ１１とで温風送風手段を構成している。循環ダクト１４は、内槽４および外槽３を通過した湿った乾燥用空気の除湿を行うもので、一端を外槽３の下部の排出口１５に接続した下部蛇腹状ホース１６に接続し、他端を乾燥用送風機１０に接続している。
【０００５】
１７は排水弁で、外槽３の底部に位置している。外槽３からの排水と下部蛇腹状ホース１６と循環ダクト１４からの排水は、排水管１８を通して排水弁１７に導かれ、排水ホース１９から機外へ排水される。外槽カバー２０は外槽３の上面を略気密的に覆うもので、この外槽カバー２０に中蓋２１を開閉自在に設け、衣類の出し入れを可能にしている。冷却用送風機２２は筐体１内部に外部から冷却風を導入するもので、筐体１の側壁に設けられ、循環ダクト１４および外槽３の外壁を冷却する。
【０００６】
上記構成において、乾燥工程ではモータ８を駆動して回転翼６を回転させ、衣類に遠心力を与えることにより、衣類を外へはね飛ばすように衣類を撹拌する。この撹拌を繰り返しながら乾燥用送風機１０による送風とヒータ１１による発熱により、上部蛇腹状ホース１２を通して内槽４内へ温風を送り込む。この温風は、衣類の水分を奪った後、内槽４から外槽３の内側へ出た後、下部蛇腹状ホース１６を通過して、循環ダクト１４へ至る。
【０００７】
衣類の水分を奪って湿気を含んだ温風が、外槽３の内壁や循環ダクト１４内を通過しているとき、筐体１の側面に設置した冷却用送風機２２による外部空気の流入で、外槽３や循環ダクト１４の外壁は冷却されることになり、その内部では水分の結露が起こり、湿った温風は除湿されて乾燥用送風機１０へ戻る。結露水を排出するため、閉じていた排水弁１７が所定時間、開かれる。この乾燥用送風機１０、ヒータ１１、上部蛇腹状ホース１２、吐出口１３、内槽４、外槽３、排出口１５、排水管１８、下部蛇腹状ホース１６、循環ダクト１４の循環路で温風を循環させることにより、内槽４内の衣類を乾燥させることができる。
【０００８】
前記従来の構成では、衣類の乾燥に使用される熱は、全て冷却用送風機から送られる外部の空気に奪われて、再利用されることがなかった。そこで、例えば特公平６−７５６２８号公報や特公平７−２２６３２号公報に開示されているように、冷媒を圧縮する圧縮機と、圧縮された冷媒の熱を放熱する放熱器と、高圧の冷媒の圧力を減圧するための絞り手段と、減圧されて低圧となった冷媒が周囲から熱を奪う吸熱器とを冷媒が循環するように管路で連結したヒートポンプ装置を衣類乾燥機に設けることにより、外部に放出される熱量を回収し、有効にエネルギを利用して衣類の乾燥が行えることが分かっている。
【０００９】
【発明が解決しようとする課題】
しかしながら、前記従来の洗濯乾燥機にヒートポンプ装置を搭載すると、スペース的な問題から本体の大きさを大幅に大きくしたり、あるいは、本体の形状を大幅に変更する必要があった。
【００１０】
本発明は、上記従来の課題を解決するもので、いわゆる縦型の洗濯乾燥機の筐体内にスペース的に効率良くヒートポンプ装置を収容し、本体形状がコンパクトで、しかもメンテナンス性にすぐれた洗濯乾燥機を実現することを目的とする。
【００１１】
【課題を解決するための手段】
上記の目的を達成するために、本発明の洗濯乾燥機は、ヒートポンプ装置の放熱器および吸熱器を外槽と筐体の一側面との間に配設したものである。
【００１２】
これにより、従来の洗濯乾燥機の形状を大きく変えることなく、ヒートポンプ装置を筐体内に効率良く収容することができるものである。
【００１３】
【発明の実施の形態】
本発明の請求項１に記載の発明は、回転翼を内底部に回転自在に配設した内槽と、前記内槽を回転自在に内装した外槽と、圧縮機および圧縮された冷媒の熱を放熱する放熱器および高圧の冷媒の圧力を減圧するための絞り手段および減圧されて低圧となった冷媒が周囲から熱を奪う吸熱器とを冷媒が循環するように管路で連結したヒートポンプ装置と、前記放熱器で加熱した空気を前記内槽内へ供給する送風手段とを筐体内に具備し、前記放熱器および吸熱器は、前記外槽と筐体の一側面との間に配設したものであり、従来の洗濯乾燥機の形状を大きく変えることなく、ヒートポンプ装置の放熱器および吸熱器を筐体内に効率良くコンパクトに収容することができる。
【００１４】
請求項２に記載の発明は、回転翼を内底部に回転自在に配設した内槽と、前記内槽を回転自在に内装した外槽と、圧縮機および圧縮された冷媒の熱を放熱する放熱器および高圧の冷媒の圧力を減圧するための絞り手段および減圧されて低圧となった冷媒が周囲から熱を奪う吸熱器とを冷媒が循環するように管路で連結したヒートポンプ装置と、前記放熱器で加熱した空気を前記内槽内へ供給する送風手段と、前記送風手段によって前記内槽内へ供給された空気を内槽外へ排出する排気口と、前記吸熱器に空気を流す吸熱器風路と、前記排気口と吸熱器風路の入口を連通する排気風路と、前記放熱器に空気を流す放熱器風路とを具備し、前記放熱器および吸熱器を前記外槽と筐体の一側面との間に配設するとともに、前記放熱器風路の入口と前記吸熱器風路の出口とを連通させたものであり、形状を大きく変えることなく、ヒートポンプ装置の放熱器および吸熱器を筐体内に効率良く収容することができるとともに、乾燥用空気を循環させる風路構成が簡略で、コンパクトに構成することができる。
【００１５】
請求項３に記載の発明は、上記請求項１または２に記載の発明において、放熱器および吸熱器は、筐体の一側面と平行方向に並べて配置したものであり、ヒートポンプ装置の放熱器および吸熱器を、筐体内の小さなスペースに効率良くコンパクトに収容することができる。
【００１６】
請求項４に記載の発明は、上記請求項１または２に記載の発明において、放熱器および吸熱器は、筐体の一側面に対向させて配置したものであり、ヒートポンプ装置の放熱器および吸熱器を、筐体内の小さな隙間に効率良くコンパクトに収容することができるとともに、放熱器および吸熱器の筐体内への組込みとメンテナンスを容易にすることができる。
【００１７】
請求項５に記載の発明は、上記請求項１〜４に記載の発明において、放熱器および吸熱器は、外槽と筐体の背面との間に配置したものであり、使用時の使い勝手を損なうことなく、放熱器および吸熱器の筐体内への組込みとメンテナンスを容易にすることができる。
【００１８】
請求項６に記載の発明は、上記請求項１〜５に記載の発明において、送風手段によって内槽内へ供給された空気を内槽外へ排出する排気口と、吸熱器に空気を流す吸熱器風路と、前記排気口と吸熱器風路の入口を連通する排気風路とを有し、前記排気風路は、洗濯時に注水される水の水位より上方で前記吸熱器風路と接続したものであり、洗濯時の洗濯水が吸熱器風路内に入るのを防止することができる。
【００１９】
請求項７に記載の発明は、上記請求項６に記載の発明において、排気風路は、外槽と一体に構成したものであり、排気風路の占めるスペースを最小にできるとともに、製造を容易に行うことができる。
【００２０】
請求項８に記載の発明は、上記請求項２〜７に記載の発明において、吸熱器風路の下方に、除湿水を排出する排水口を設けたものであり、吸熱器を上方から下方へ通過する高湿空気は、吸熱器で吸熱されて凝縮した除湿水を発生するが、この除湿水は空気の流れによって効率良く下方の排水口から排出することができる。
【００２１】
請求項９に記載の発明は、上記請求項２〜８に記載の発明において、吸熱器風路の上方に、空気中の異物を除去するフィルター手段を設けたものであり、運転中に槽内の衣類から発生するリントなどの異物が、吸熱器を構成する熱交換器の放熱フィンに付着することを防止するとともに、フィルター手段を吸熱器風路の上方に設けることにより、フィルター手段のメンテナンスを容易にすることができる。
【００２２】
請求項１０に記載の発明は、上記請求項２〜９に記載の発明において、吸熱器風路は、吸熱器の上方から下方へ空気を流すように設定し、放熱器風路は、放熱器の下方から上方へ空気を流すように設定したものであり、槽の底部から排出される排気を合理的に吸熱器風路と放熱器風路に流して効率よく循環させることができ、放熱器および吸熱器を筐体内に効率良くコンパクトに収容することができる。
【００２３】
請求項１１に記載の発明は、上記請求項２〜１０に記載の発明において、吸熱器は、吸熱器風路を流れる空気の上流側を、外槽側に近付く方向に傾けて前記吸熱器風路内に設けたものであり、吸熱器を通過する空気中の異物が吸熱器に付着した場合でも、筐体の外側からこれを取り除くことができ、メンテナンスを容易にすることができる。
【００２４】
請求項１２に記載の発明は、上記請求項２〜１１に記載の発明において、放熱器は、放熱器風路を流れる空気の上流側を、外槽側に近付く方向に傾けて前記放熱器風路内に設けたものであり、放熱器を通過する空気中の異物が放熱器に付着した場合でも、筐体の外側からこれを取り除くことができ、メンテナンスを容易にすることができる。
【００２５】
請求項１３に記載の発明は、上記請求項１１または１２に記載の発明において、吸熱器風路または放熱器風路の筐体外面側に、開閉自在の開口を設けたものであり、通過する空気中の異物が吸熱器または放熱器に付着した場合でも、筐体の外側から開口を開いて容易にこれを取り除くことができ、メンテナンスを一層容易にすることができる。
【００２６】
【実施例】
以下、本発明の実施例について、図面を参照しながら説明する。なお、従来例と同じ構成のものは同一符号を付して詳細な説明は省略する。
【００２７】
（実施例１）
図１〜図３に基づいて第１の実施例について説明する。図１は本実施例の洗濯乾燥機を本体の背面方向から見た一部切欠斜視図、図２は図１のＡ−Ａ線に沿って切断した断面図である。ヒートポンプ装置を構成する熱交換器からなる吸熱器３０および放熱器３１は、外槽３と筐体１の背面３２との間に配設され、筐体１の背面３２と平行方向で、横方向（水平方向）に並べて、筐体１の背面３２と対向するように配置されている。
【００２８】
送風手段を構成する乾燥用送風機１０によって吐出口１３から内槽４内へ供給された空気は、槽内の衣類３３を通過し外槽３底部の排出口１５から槽外へ排気され、これと接続した蛇腹ホース１６と排気風路３４を介して吸熱器３０の上方から下方へ空気を流す吸熱器風路３５と連通する。排気風路３４は、図に示すように外槽３の下部から上部へ風路が構成され、洗濯時に槽内に注水される水の水位より上方で吸熱器風路３５と接続している。排気風路３４と吸熱器風路３５の接続部には、空気中の異物を除去するフィルター手段として合繊ネット等からなるエアフィルター３６を着脱可能に設けている。
【００２９】
上記吸熱器３０は、吸熱器風路３５内において吸熱器３０の上端が下端より外槽３側に近付く方向、つまり、吸熱器風路３５を流れる空気の上流側を、外槽３側に近付く方向に傾けて設けている。これは、傾けずに垂直に配置するより空気の圧損を小さくできるとともに、もしエアフィルター３６で除去できなかった異物が吸熱器風路３５内に入って吸熱器３０の表面に付着した場合でも、異物が付着する面は筐体１の背面３２側になるので、あとのメンテナンスがし易くなるからである。吸熱器風路３５の下方には、除湿水を排出する排水口３７を設けている。
【００３０】
吸熱器風路３５内を吸熱器３０の上方から下方へ流れた空気は、放熱器３１の下方から上方へ空気を流す放熱器風路３８へ連通管３９を介して連通している。放熱器風路３８の出口は乾燥用送風機１０と接続し、放熱器３１の下方から上方へ流れた空気は、再び乾燥用送風機１０によって吐出口１３から内槽４内へ供給され循環するようになっている。
【００３１】
上記放熱器３１は、放熱器風路３８内において放熱器３１の下端が上端より外槽３側に近付く方向、つまり、放熱器風路３８を流れる空気の上流側を、外槽３側に近付く方向に傾けて設けている。この効果は上記吸熱器３０の場合と同様であり、空気の圧損を小さくできるとともに、異物が放熱器３１の表面に付着した場合でも、異物が付着する面は筐体１の背面３２側になるので、メンテナンスがし易くなる。
【００３２】
図３は本実施例のシステム概念図で、ヒートポンプ装置の構成と乾燥用空気の流れを示す。乾燥用空気の流れは矢印４０で示し、これは上述したとおりである。ヒートポンプ装置は、圧縮機４１、および圧縮された冷媒の熱を放熱する放熱器３１、および高圧の冷媒の圧力を減圧するための絞り手段４２、および減圧されて低圧となった冷媒が周囲から熱を奪う吸熱器３０とを冷媒が循環するように管路４３で連結されており、冷媒は矢印４４の方向に流れて循環し、ヒートポンプサイクルを実現する。この冷媒にはエアコンや冷蔵庫で使用されるフロン系のものを用いても良いが、炭酸ガスを冷媒とすればさらに高温の熱を放出することが可能となり、衣類の乾燥に適する。
【００３３】
以上のような構成において、本実施例の動作について説明する。まず、洗浄工程では、排水弁１７を閉じた状態で外槽３内に所定の水位に達するまで給水を行い、駆動手段８により衣類３３と洗浄水の入った内槽４を回転させる。この回転にともなう遠心力により内槽４と外槽３の間の洗浄水は外槽３の内壁に沿って上昇した後、内槽４の上部から内槽４内に散水され循環する。これにより、衣類３３を洗浄水が通過することとなり洗浄される。
【００３４】
このとき、排気風路３４内には洗浄水が入るが、排気風路３４は外槽３の上端より上方で吸熱器風路３５と接続しているので、吸熱器風路３５内に洗浄水が入ることはなく、吸熱器３０に洗浄水が浸入して腐食の原因になったり、洗浄水中のリントが吸熱器３０に詰まったりすることがない。つまり、洗濯時に注水される水の水位より上方で排気風路３４と吸熱器風路３５を接続したものである。
【００３５】
また、洗浄後の濯ぎ工程でも、洗浄工程と同様に外槽３内に給水され、内槽４を回転させて衣類３３の濯ぎを行うが、吸熱器３０に濯ぎ水が浸入することはない。脱水工程では、排水弁１７を開いて排水ホース１９から機外へ水を排水した後、駆動手段８により衣類３３の入った内槽４を高速回転して脱水する。
【００３６】
乾燥工程では、ヒートポンプ装置の圧縮機４１を作動させると、冷媒が圧縮され、この圧力により放熱器３１、絞り手段４２、吸熱器３０を循環する。放熱器３１では冷媒の圧縮で熱が放出され、吸熱器３０では絞り手段４２で減圧されて低圧となった冷媒により熱が吸収される。このとき乾燥用送風機１０も作動し、放熱器３１の放熱により加熱された温風が上部蛇腹状ホース１２を通して吐出口１３から内槽４内に送風される。内槽４内では駆動手段８により回転翼６が回転し衣類３３は上下に撹拌される。
【００３７】
内槽４内に送風された温風は、この衣類３３の隙間を通るときに水分を奪い、湿った状態で外槽３底部の排出口１５、蛇腹ホース１６、排気風路３４を通過し、エアフィルター３６でリント等の異物が除去され、吸熱器風路３５に至る。この湿った温風は、吸熱器３０を通過する際に顕熱と潜熱が奪われて除湿され、乾いた空気と除湿水に分離される。この乾いた空気は、連通管３９を通って放熱器風路３８に入り、放熱器３１で再び加熱され温風となって乾燥用送風機１０へと循環する。
【００３８】
一方、吸熱器３０で結露した除湿水は、吸熱器風路３５内の空気の流れによって下方に強制的に運ばれ、底部の排水口３７から排水ホース１９を通って機外へ排出される。このようにヒートポンプ装置を用いることにより、吸熱器３０で吸熱した熱を冷媒で回収して再び放熱器３１で放熱して、圧縮機４１に入力したエネルギ以上の熱量を衣類３３に与えることができるので、乾燥時間の短縮と省エネを実現することが可能になる。
【００３９】
（実施例２）
次に、図４および図５に基づいて第２の実施例の洗濯乾燥機について説明する。図４は本実施例の洗濯乾燥機を本体の背面方向から見た一部切欠斜視図、図５は吸熱器および放熱器の分解斜視図で、以下の構成が実施例１と異なる。
【００４０】
図４に示すように、本実施例の排気風路３４は外槽３の外側に固定され、外槽３と一体に構成している。この排気風路３４の出口は、蛇腹ホース３４ａにより吸熱器風路３５の入口と連通している。
【００４１】
この構成によれば、外槽３の外面を排気風路３４の構成壁として使用できるので、排気風路３４の占めるスペースを最小にできる。また、外槽３の排出口１５との接続風路（図示せず）も一体に構成できるので、構造がシンプルになるとともに、排気風路３４の内容量も小さくなるので洗濯時にたまる水量も小さくできる。
【００４２】
また、図５に示すように、吸熱器風路３５と放熱器風路３８には、それぞれ吸熱器風路開口５０および放熱器風路開口５２を設けている。これらの吸熱器風路開口５０および放熱器風路開口５２は、筐体１の背面３２側にあり、通常はそれぞれ吸熱器風路フタ５１および放熱器風路フタ５３により覆われている。吸熱器風路フタ５１および放熱器風路フタ５３は、それぞれ引掛け爪５６、５７と固定ねじ５４、５５で取り付けられ着脱できるようになっている。
【００４３】
この構成により、吸熱器風路３５または放熱器風路３８を通過する空気中の異物が吸熱器３０または放熱器３１に付着した場合でも、筐体１の背面３２側から吸熱器風路開口５０および放熱器風路開口５２を開くことができ、付着した異物を容易に取り除くことができ、メンテナンスがさらにし易くなる。
【００４４】
なお、上記の実施例では、放熱器３１および吸熱器３０は、外槽３と筐体１の背面３２との間に設けているが、例えば、外槽３と筐体１の左または右側面との間に設けてもよく、ヒートポンプ装置の放熱器３１および吸熱器３０を筐体内に効率良く収容できるものである。
【００４５】
【発明の効果】
以上のように本発明によれば、ヒートポンプ装置の放熱器および吸熱器を筐体内に効率良く収容することができ、ヒートポンプ装置を搭載した場合でも本体の大きさを大幅に大きくしたり、あるいは、本体の形状を大幅に変更する必要がなく、本体形状がコンパクトで、しかも、メンテナンス性にすぐれた洗濯乾燥機を実現することができる。
【図面の簡単な説明】
【図１】本発明の実施例１の洗濯乾燥機の一部切欠斜視図
【図２】同洗濯乾燥機の要部断面図
【図３】同洗濯乾燥機のシステム概念図
【図４】本発明の実施例２の洗濯乾燥機の一部切欠斜視図
【図５】同洗濯乾燥機の要部分解斜視図
【図６】従来の洗濯乾燥機の断面図
【符号の説明】
１　筐体
３　外槽
４　内槽
６　回転翼
１０　乾燥用送風機
３０　吸熱器
３１　放熱器
３２　背面
３４　排気風路
３５　吸熱器風路
３６　エアフィルター
３７　排水口
３８　放熱器風路
３９　連通管
４１　圧縮機
４２　絞り手段
４３　管路
５０　吸熱器風路開口
５２　放熱器風路開口
【図１】
2004065428.tif 000003
【図２】
2004065428.tif 000004
【図３】
2004065428.tif 000005
【図４】
2004065428.tif 000006
【図５】
2004065428.tif 000007
【図６】
2004065428.tif 000008